(57)【要約】      （修正有）【課題】部屋や廊下の床面と壁面とが直交する角部分（隅々）を、下部回転体の抜布の接触面を連続的に巻取りながら、幅広い面積を短時間で容易に清掃することができる清掃具。【解決手段】支持体１の上壁部１ａの一端部から延びる支持腕１ｂと、この支持腕の下端部に設けられた筒状下部横軸３と、この筒状下部横軸に設けられ、その外周面に拭布Ｙを巻き取ることができる下部回転体４と、この下部回転体に対して間隙５を有して支持腕に設けられた上部横軸６と、この上部横軸に設けられ、その外周面から拭布を送り出すことができる上部回転体７と、下部回転体の摺動筒１７及び筒状下部横軸に外嵌合しかつ操作棒１０に一体的に設けられた係合筒２３に設けられた下部回転体用係止手段８とから成り、操作棒を筒状下部横軸の軸方向に操作して、係止状態が解かれた状態で下部回転体を手動で回転すると、拭布の巻取り動作に連動して上部回転体が回転する清掃具Ｘ。【選択図】図１
2016127896.tif 000002
【特許請求の範囲】
【請求項１】
上壁部にハンドルを備えた支持体と、この支持体の前記上壁部の一端部から片持ち式に延びる支持腕と、この支持腕の下端部に設けられた筒状下部横軸と、この筒状下部横軸に設けられ、その外周面に拭布を巻き取ることができる下部回転体と、この下部回転体に対して所要間隙を有して前記支持腕に設けられた上部横軸と、この上部横軸に設けられ、その外周面から前記拭布を送り出すことができる上部回転体と、前記下部回転体及び操作棒にそれぞれ設けられた下部回転体用係止手段とから成り、
前記操作棒を前記筒状下部横軸の軸方向にプッシュ或いはプルすると、係止用付勢手段の付勢力に抗して前記下部回転体用係止手段の係止状態が解かれ、該係止状態が解かれた状態を維持しながら下部回転体を手動で回転すると、前記拭布の巻取り動作に連動して前記上部回転体が回転する清掃具。
【請求項２】
請求項１に於いて、操作棒の操作端部は、支持腕の外壁面から突出するか、又は下部回転体の先端部から突出するかのいずれかであることを特徴とする清掃具。
【請求項３】
請求項１又は請求項２に於いて、上部回転体には、下部回転体用係止手段よりも係止作用が緩やかな上部回転体用係止手段が設けられ、該上部回転体用係止手段は、少なくとも上部回転体の筒状部又は上部横軸に外嵌合する可動筒のいずれかに設けられた摩擦面或いはセレーションであり、前記可動筒は係止用付勢手段により常時係合方向に付勢されていることを特徴とする清掃具。
【請求項４】
請求項１又は請求項２に於いて、上部回転体には、下部回転体用係止手段よりも係止作用が緩やかな上部回転体用係止手段が設けられ、該上部回転体用係止手段は、上部回転体の筒状部に設けた凹部又は凸部の第１係合部及び該第１係合部に係脱する凸部又は凹部の第２係合部を有すると共に上部横軸に外嵌合する可動筒とから成り、前記可動筒は係止用付勢手段により常時係合方向に付勢されていることを特徴とする清掃具。
【請求項５】
上壁部にハンドルを備えた支持体と、この支持体の前記上壁部の一端部から片持ち式に延びる支持腕と、この支持腕の下端部に設けられ、その先端部にバネ端支持部を有する下部横軸と、この下部横軸に設けられ、その外周面に拭布を巻き取ることができる下部回転体と、この下部回転体に対して所要間隔有して前記支持腕に設けられた上部横軸と、この上部横軸に設けられ、その外周面から前記拭布を送り出すことができる上部回転体と、前記下部回転体の摺動筒の一端面に設けた凹部又は凸部の第１係合部及び該第１係合部に係脱するように前記支持腕の内面に形成された凸部又は凹部の第２係合部とから成る下部回転体用係止手段とから成り、操作スイッチとしての前記下部回転体を前記バネ端支持部側に係止用付勢手段の付勢力に抗してスライドさせると、前記下部回転体用係止手段の係止状態が解かれ、該係止状態が解かれた状態を維持しながら下部回転体を手動で回転すると、前記拭布の巻取り動作に連動して前記上部回転体が回転する清掃具。
【請求項６】
請求項１に於いて、係止用付勢手段は、下部横軸の先端部に巻装された状態でバネ端支持部と下部回転体の筒状部の先端面との間に配設されていることを特徴とする清掃具。
【請求項７】
請求項５又は請求項６に於いて、上部回転体には、下部回転体用係止手段よりも係止作用が緩やかな上部回転体用係止手段が設けられ、該上部回転体用係止手段は、少なくとも上部回転体の筒状部又は上部横軸に外嵌合する可動筒のいずれかに設けられた係合手段であることを特徴とする清掃具。
【発明の詳細な説明】
【技術分野】
【０００１】
本発明は床面や壁面を拭取る清掃具に関し、例えば棒状、枠状、Ｔ字形状等のハンドルを握って、雑巾に相当する拭布を前後に操作しながら床面や壁面の雑巾がけを楽にすることができる清掃具に関し、特に、建物の床面を雑巾がけする場合に適合する清掃具に関する。
【背景技術】
【０００２】
特許文献１の課題は、  機能の異なる複数の清掃手段を一つの清掃具の中に一体に組み込み、それらを選択的に使い分けられるようにすることである。その解決手段は、  機能の異なる２つの清掃手段５ａ，５ｂをヘッドフレーム４に取り付ける共に、該ヘッドフレーム４を柄２に回転自在且つ各清掃手段５ａ，５ｂの使用位置に係止自在なるように連結し、該ヘッドフレーム４の向きを変えることによって２つの清掃手段５ａ，５ｂを使い分けられるように構成する（符号は特許文献１のもの）。
そして、特許文献１の図７には、前記ヘッドフレーム４の形態を、平面視Ｌ字形状（クランク形状）にする実施形態が開示されている。付言すると、機能の異なる複数の清掃手段５ａ，５ｂの片持ち式のヘッドフレーム４で回転自在に軸支、かつ、選択的に前記複数の清掃手段５ａ，５ｂのいずれかを凹部・凸部の係止手段でもって係止する事項が記載されている（図４）。
【０００３】
しかしながら、特許文献１の断面略正三角形の他方の清掃手段５ｂは、該清掃手段５ｂの外周面にシート状の拭布を装着して、例えば床張りや畳を清掃することができるものの、清掃時、抜布が汚れたならば、抜布を新たな物に交換しながら掃除しなければならないという問題点がある。したがって、抜布を何回も交換しなければならないので、交換作業が面倒であると共に、短時間に幅広い面積を掃除できないという欠点がある。
【先行技術文献】
【特許文献】
【０００４】
【特許文献１】特開平１０−３２３３２０号公報の図７、図４
【発明の概要】
【発明が解決しようとする課題】
【０００５】
本願発明の主たる目的は、少なくとも部屋や廊下の床面の隅、例えば部屋や廊下の床面と壁面とが直交する角部分（隅々）を、芯材としての下部回転体の抜布の接触面を連続的に巻取りながら、清掃時、抜布を交換しながら或いは抜布を芯材から外さなくても、幅広い面積を容易に清掃することができることである。本願発明の第２目的は、清掃時、ハンドルを強く押しても、抜布を巻いている下部回転体が回転しないことである。本願発明の第３目的は、拭布の拭取り面を変える時、下部回転体用係止手段の係止状態をワンタッチ方式で解くことができると共に、該係止状態が解かれた状態を維持しながら下部回転体を手動で回転すると、前記拭布の巻取り動作に連動して前記上部回転体がスムースに摩擦回転することである。その他の二次的目的は、清掃時、拭布がたるまないことである。
【課題を解決するための手段】
【０００６】
本発明の清掃具は、上壁部にハンドルを備えた支持体と、この支持体の前記上壁部の一端部から片持ち式に延びる支持腕と、この支持腕の下端部に設けられた筒状下部横軸と、この筒状下部横軸に設けられ、その外周面に拭布を巻き取ることができる下部回転体と、この下部回転体に対して所要間隙を有して前記支持腕に設けられた上部横軸と、この上部横軸に設けられ、その外周面から前記拭布を送り出すことができる上部回転体と、前記下部回転体及び操作棒にそれぞれ設けられた下部回転体用係止手段とから成り、前記操作棒を前記筒状下部横軸の軸方向にプッシュ或いはプルすると、係止用付勢手段の付勢力に抗して前記下部回転体用係止手段の係止状態が解かれ、該係止状態が解かれた状態を維持しながら下部回転体を手動で回転すると、前記拭布の巻取り動作に連動して前記上部回転体が回転することを特徴とする（請求項１）。
【０００７】
また本発明の清掃具は、上壁部にハンドルを備えた支持体と、この支持体の前記上壁部の一端部から片持ち式に延びる支持腕と、この支持腕の下端部に設けられ、その先端部にバネ端支持部を有する下部横軸と、この下部横軸に設けられ、その外周面に拭布を巻き取ることができる下部回転体と、この下部回転体に対して所要間隔有して前記支持腕に設けられた上部横軸と、この上部横軸に設けられ、その外周面から前記拭布を送り出すことができる上部回転体と、前記下部回転体の摺動筒の一端面に設けた凹部又は凸部の第１係合部及び該第１係合部に係脱するように前記支持腕の内面に形成された凸部又は凹部の第２係合部とから成る下部回転体用係止手段とから成り、操作スイッチとしての前記下部回転体を前記バネ端支持部側に係止用付勢手段の付勢力に抗してスライドさせると、前記下部回転体用係止手段の係止状態が解かれ、該係止状態が解かれた状態を維持しながら下部回転体を手動で回転すると、前記拭布の巻取り動作に連動して前記上部回転体が回転することを特徴とする（請求項５）。
【発明の効果】
【０００８】
（ａ）請求項１に記載の発明は、該拭布を交換することなく、該拭布の接触部位を連続的に変えながら、雑巾として機能を最大限に生かし、短時間で幅広い床面積を掃除することができる。具体的には、少なくとも下部回転体は、支持体の片持ち式の支持腕の下端部に軸支された又は一体的に設けられている下部横軸に設けられているので、前記下部回転体に巻装された拭布の非支持腕側の端面を、部屋や廊下の床面と壁面とが直交する角部分（隅）にぴったりと宛がうことができる。しかも、清掃時、下部回転体に巻装された拭布の接触面を連続的に変えることができるので、抜布を交換しながら、或いは抜布を芯材から外さなくても、幅広い面積を清掃することができる。また下部回転体用係止手段を備えているので、清掃時、少なくとも抜布を巻いている下部回転体が回転しない。さらに、拭布の拭取り面を変える時、長杆状操作棒の外端部をプッシュ或いはプルすると、下部回転体用係止手段の係止状態を容易に解くことができる。加えて、係止状態が解かれた状態を維持しながら下部回転体を手動で回転すると、拭布の巻取り動作に連動して上部回転体が摩擦回転する。
（ｂ）請求項２に記載の発明は、操作棒の操作端部は、支持腕の外壁面から突出するか、又は下部回転体の先端部から突出するかのいずれかであり、前記突出部分が操作部となるので、例えば前記外端部を付勢手段の付勢力に抗して押圧すると、下部回転体用係止手段の係止状態を簡単に指の操作力で解くことができる。
（ｃ）請求項３に記載の発明は、上部回転体には、下部回転体用係止手段よりも係止作用が緩やかな上部回転体用係止手段が設けられ、該上部回転体用係止手段は、少なくとも上部回転体の筒状部又は上部横軸に外嵌合する可動筒のいずれかに設けられた摩擦面或いはセレーションであり、可動筒は上部横軸側に配設された係止用付勢手段により常時係合方向に付勢されているので、清掃時、上部回転体が容易に回転して拭布がたるまない。また該係止状態が解かれた状態を維持しながら下部回転体を手動で回転すると、拭布の巻取り動作に連動して上部回転体が回転するので、拭布が不意にたるむことがない。
（ｄ）請求項４に記載の発明は、上部回転体には、下部回転体用係止手段よりも係止作用が緩やかな上部回転体用係止手段が設けられ、該上部回転体用係止手段は、上部回転体の筒状部に設けた凹部又は凸部の第１係合部及び該第１係合部に係脱する凸部又は凹部の第２係合部を有すると共に上部横軸に外嵌合する可動筒とから成り、可動筒は係止用付勢手段により常時係合方向に付勢されているので、請求項３に記載の発明と同様の効果がある。
（ｅ）請求項５に記載の発明は、請求項１に記載の発明と比較すると、部品点数を少なくして、該請求項１に記載の発明と同様の効果を得ることができる。特に、下部回転体自体に「操作スイッチ」の機能を付与したので、下部回転体用係止手段の係止を解除する際、下部回転体自体を軸方向に引くだけで良い。したがって、簡単な構成であると共に、下部回転体自体を、拭布を介して握るようにして軸方向にプルするだけで良いので、下部回転体用係止手段の係止解除が非常に楽である。
（ｆ）請求項６に記載の発明は、付勢手段の装着が容易であると共に、簡単な構成により、（ｅ）の効果を得ることができる。
（ｇ）請求項７に記載の発明は、請求項３に記載の発明と同様の効果がある。
【図面の簡単な説明】
【０００９】
図１乃至図１３は本発明の第１実施形態を示す各説明図、図１４及び図１５は本発明の第２実施形態を示す各説明図である。
【図１】正面視からの説明図。
【図２】右側面視からの説明図。
【図３】図１の３−３線断面説明図。
【図４】下部回転体の縦断面説明図。
【図５】図４の５−５線断面説明図。
【図６】要部（下部回転体用係止手段、長杆状操作棒）の説明図。
【図７】図４の７−７線断面説明図。
【図８】要部（筒状下部横軸に一体的に設けられた環状部分、付勢手段等）の説明図。
【図９】支持腕の上部横軸に軸支された上部回転体の縦断面説明図。
【図１０】拭布を巻装した状態の説明図。
【図１１】部屋や廊下の床面の隅を清掃している使用状態の一例を示す説明図。
【図１２】下部回転体用係止手段の係止状態を解いた状態の説明図。
【図１３】図１２に於いて、下部回転体を手動で回転した概略説明図。
【図１４】第２実施形態の図４と同様の断面図。
【図１５】第２実施形態の図１２と同様の説明図（連動回転）。
【発明を実施するための最良の形態】
【００１０】
図１乃至図１３は、本発明の第１実施形態である。これらの図に於いて、Ｘは建物の床面、壁面、障子のガラス面等の拭取り対象面の汚れを、いわゆる雑巾がけするように拭取る際に用いられる建物用清掃具、１はハンドル２を備える支持体（支持部）、３はハンドル部材の前記支持体１に一体的に設けられ或いは一体成形された筒状下部横軸、４は前記筒状下部横軸に回転自在に外嵌合する筒状下部回転体（下部芯材）、５は所要の間隙、６は前記支持体１の上端部側に前記所要の間隙５を有して軸支された又は該実施形態では一体的に設けられ或いは一体成形された上部横軸、７は前記上部横軸に回転可能に外嵌合すると共に、その外周面から拭布Ｙを送り出すことができる筒状の上部回転体、８は下部回転体用係止手段（図６参照）、９は前記上部回転体用係止手段（図９参照）、１０は前記筒状下部横軸３にその操作端部１０が前記支持体１の片持ち式の支持腕１ｂから突出するように嵌挿された下部回転体用係止手段８の係合状態を解く操作棒である。
【００１１】
まず、図１及び図２を参照にして、ハンドル２を備える支持体１を説明する。支持体１は、略水平状の上壁部或いは上杆部１ａと、該上壁部或いは上杆部１ａの一端部から下方に略垂直状に延びる片持ち式の支持腕１ｂとから成り、いわゆるヘッドフレームに相当する支持体１は、全体としてクランク形状に形成されている。前記片持ち式の支持腕１ｂの長さは、前記上壁部或いは上杆部１ａの略２〜３倍であり、好ましくは上壁部或いは上杆部１ａの略２倍である。長い棒状のハンドル２は、図１で示すように上壁部或いは上杆部１ａの先端部に固定的（実施形態）又は取り外し可能（例えば螺着）に設けられている。
ところで、上壁部或いは上杆部１ａの先端部は、支持体１がクランク形状の片持ち式であることから、図１を基準にして建物用清掃具Ｘを全体観察すると、筒状下部横軸３及び筒状の上部回転体７の略中央部の上方に位置している。
【００１２】
したがって、ハンドル２は、建物用清掃具Ｘの略中心に位置し、ハンドル２を前後に押付ける操作力は、筒状下部横軸３に巻き取られている拭布Ｙの拭取り面ｙに均等に作用する。ハンドル２の長さは任意に設計変更する事項であるが、実施形態では、例えば９０〜９５ｃｍである。なお、支持体１の上壁部１ａをやや屋根形状にする、ハンドル２の握り部分に相当する上端部を「Ｔ」字形状にする、ハンドル２の取付け基端部に相当する下端部を二股状にする、ハンドル２を折り畳み式にする、ハンドル２を分割式にする、ハンドル２を伸縮式にする等は、本発明の本質的事項ではない。
【００１３】
次に、図３乃至図８を参照にして、筒状下部横軸３、筒状の下部回転体４、下部回転体用係止手段８を説明する。なお、ここで「先端部や先端面」、「一端部や一端面」、「操作棒の外端部」の各用語は、図４を基準にする。
【００１４】
まず、筒状下部横軸３は支持腕１ｂの下端部の内面に一体的に設けられ或いは一体成形されている。筒状下部横軸３の長さは、例えば上壁部或いは上杆部１ａの略２倍である。
【００１５】
しかして、図４を基準にすると、実施形態の筒状下部横軸３は、その一端部（図４では右側）が支持腕１ｂの下端部の内面に一体的に設けられたパイプ状の筒本体１１と、このパイプ状の筒本体１１の先端部（図４では左側）寄りの外周面と一体的に周設されたフランジ状の環状部１２と、このフランジ状の環状部１２の周面１２ａと直交する一端面１２ｂに水平方向に突設された複数個の短杆状支持棒１３とから成り、前記短杆状支持棒１３は、所定間隔を有して周方向に合計３個存在している。この短杆状支持棒１３は１個又は２個でも良いが、好ましくは３個、さらに好ましくは４〜６個程度設けるのが望ましい。
そして、図８で示すように、短杆状支持棒１３には、後述する操作棒１０を初期位置に戻すための複数個の付勢手段（例えばコイルバネ）１５が巻装されている。また、フランジ状の環状部１２には、操作棒１０の連結棒２２が貫通する貫通孔１４が所定間隔を有して周方向に複数個（例えば３個）が形成されている。
【００１６】
以上のように、建物用清掃具Ｘの固定側部材は、ハンドル２を備える支持体１と、該支持体１の片持ち式の支持腕１ｂに一体的に設けられた筒状下部横軸３とから成り、前記筒状下部横軸３は、パイプ状の筒本体１１と、このパイプ状の筒本体１１の先端部寄りの外周面に一体的に周設されたフランジ状の環状部１２と、このフランジ状の環状部１２の一端面１２ｂに水平方向に所要量突設された単数又は複数の短杆状支持棒１３とから成り、実施形態では、前記短杆状支持棒１３に係止用付勢手段（例えばコイルバネ）１５が単数又は複数個配設されている。
【００１７】
次に筒状下部回転体４は、前述した固定側部材のパイプ状筒本体１１よりも若干長く、かつ固定側部材のフランジ状環状部１２よりも僅かに大径である。しかして、図４を基準にすると、実施形態の筒状の下部回転体４は、拭布Ｙを巻き取る外周面を有する巻取り筒本体１６と、この巻取り筒本体１６の一端部（一端部寄りの部位も含む）の内周面に一体的に設けられた或いは一体成形されたやや肉厚の摺動筒１７とから成り、前記摺動筒１７の先端面（図４では左側）には、下部回転体用係止手段８の一方を構成する凹部又は凸部の第１係合部８ａが複数個形成されている（図６参照）。
【００１８】
実施形態では、前記第１係合部８ａは摺動筒１７の中心嵌合孔１８の同心円状に所定間隔を有して形成された複数個（例えば６個）の凹所であり、該凹所８ａの深さは、清掃時、ハンドル２を前後に押付ける操作力が筒状下部横軸３に巻き取られている拭布Ｙの拭取り面ｙに均等に作用しても、下部回転体用係止手段８の係合が容易に解消しない程度に設定されている。
【００１９】
次に、操作棒１０は長杆状で、その断面形状は真円である。操作棒１０は前述したように固定部材に相当する支持腕１ｂ及び筒状下部横軸３に嵌挿されているものの、その操作端部に相当する外端部１０ａ（図４では右側）は、前記支持腕１ｂの下端部から突出している。そして、外端部１０ａとは反対側の先端部１０ｂには、その内端面側に横向き凹所を有す円盤状ストッパー部２１が一体的に設けられ或いは一体成形され、該円盤状ストッパー部２１の環状部分は筒状下部横軸３の先端部に外嵌合し、操作棒と共に軸方向に移動可能である。
【００２０】
また前記円盤状ストッパー部２１の環状部分には水平方向に複数本（例えば合計３本）の連結棒２２が一体的に設けられ、これらの連結棒２２の内端部はやや肉厚の係合筒２３に一体的に連結され、前記係合筒２３は前述した筒状下部回転体４の摺動筒１７と筒状下部横軸３のフランジ状環状部１２との間に配設されている。
【００２１】
しかして、係合筒２３の先端面２３ａには、前述した短杆状支持棒１３が係入する複数個の受入穴２４が形成されている。この受入穴２４の深さは、長杆状の操作棒１０の外端部１０ａが操作（実施形態ではプッシュ）され、かつ係止用付勢手段１５の付勢力に抗して操作棒１０が下部回転体用係止手段８の係合が解かれる軸方向に移動しても、短杆状支持棒１３の係入端部が外れない程度に設定されている。一方、係合筒２３の内端面２３ｂには、摺動筒１７の先端面１７ａの第１係合部８ａと係脱する凸部又は凹部の第２係合部８ｂが形成されており、実施形態では、第２係合部８ｂは複数個の凸部である。
したがって、下部回転体用係止手段８は、筒状下部回転体４の摺動筒１７に設けた凹部又は凸部の第１係合部８ａ及び該第１係合部に係脱するように筒状下部横軸３に外嵌合しかつ操作棒１０に一体的に設けられた係合筒２３に形成された凸部又は凹部の第２係合部８ｂとから成る。
【００２２】
ここで、図９及び図１０を参照にして、上部横軸６と、筒状上部回転体７と、上部回転体用係止手段９を説明する。なお、ここで「先端面」、「内端面」の各用語は、図９を基準にする。また、上部横軸６や筒状上部回転体７の具体的構成は、本発明の本質的事項ではないので、簡単に説明する。
【００２３】
さて、上部横軸６は筒状下部回転体４に対して所要間隙５を有して支持腕１ｂに一体的に設けられた或いは一体成形されている。実施形態では、上部横軸６と筒状上部回転体７とは別体であり、上部横軸６に回転可能に外嵌合すると共に、その外周面から前記拭布を送り出すことができる。
【００２４】
ところで、上部回転体７には、下部回転体用係止手段８よりも係止作用が緩やかな上部回転体用係止手段９が設けられ、該上部回転体用係止手段９は、少なくとも筒状の上部回転体７の内周面に一定的に設けられた或いは成形された肉厚状の筒状部３１の先端面３１ａ、又は上部横軸６に外嵌合する可動筒３２の前記先端面３１ａと対向する内端面３２ｂのいずれかに設けられた摩擦面或いはセレーションであり、前記可動筒３２は前記上部横軸６の先端部に固定されたフランジ部分３３の係合ピン３４に配設された可動筒用或いは係止用付勢手段（例えばコイルバネ）３５により、常時、前記可動筒３２の先端面３２ａに形成した単数又は複数の係合穴３６に係入するように付勢されている。
【００２５】
したがって、清掃時、可動筒３２の内端面３２ｂは前記可動筒用或いは係止用付勢手段３５の付勢力により、上部回転体用係止手段９の筒状部３１の先端面３１ａに圧接或いは係合している。好ましくは、拭布の巻取りの際、上部回転体７がスムースに回転するように、上部回転体７には、下部回転体用係止手段８よりも係止作用が緩やかな上部回転体用係止手段９が設けられ、該上部回転体用係止手段９は、少なくとも上部回転体７の筒状部３１又は上部横軸に外嵌合する可動筒３２のいずれかに設けられた係合手段（例えばゴムシート、セレーション）である。
【００２６】
第１実施形態では、上部回転体用係止手段９は、筒状上部回転体７の筒状部３１の先端面３１ａに設けた凹部又は凸部の第１係合部９ａ及び該第１係合部に係脱する凸部又は凹部の第２係合部９ｂであり、前記第２係合部９ｂは、上部横軸６の先端部寄りの部位に外嵌合する可動筒３２の一端面に形成されている。
【００２７】
そして、前記可動筒３２は上方横軸６の先端部に固定されたフランジ部分３３の係合ピン３４に巻装された係止用付勢手段の付勢力により、常に係合方向に付勢されているものの、第１係合部９ａと第２係合部９ｂの両者の係合具合は、清掃時に不意に外れない程度の係止力なので、前記係止用付勢手段３５の付勢力に抗して下部回転体用係止手段８の係止状態が解かれ、該係止状態が解かれた状態を維持しながら下部回転体４を手動で回転すると、拭布Ｙの巻取り動作に連動して上部回転体７も弾力的に摩擦回転する。
【００２８】
それ故に、第１実施形態の清掃具Ｘは、上壁部或いは上杆部１ａにハンドル２を備えたヘッドフレームとしての支持体１と、この支持体の前記上壁部或いは上杆部１ａの一端部から片持ち式に延びる側枠としての支持腕１ｂと、この支持腕１ｂの下端部に一体的に設けられ或いは一体成形された中心芯材としての筒状下部横軸３と、この筒状下部横軸３に回転可能に外嵌合すると共に、その外周面に拭布Ｙを巻き取ることができる芯材としての筒状の下部回転体４と、この筒状の下部回転体４に対して所要間隙５を有して前記支持腕１ｂに一体的に設けられた或いは一体成形された上部横軸６と、この上部横軸６に回転可能に外嵌合すると共に、その外周面から前記拭布を送り出すことができる筒状の上部回転体７と、前記筒状の下部回転体４の摺動筒１７に設けた凹部又は凸部の第１係合部８ａ及び該第１係合部に係脱するように前記筒状下部横軸３に外嵌合しかつ操作棒１０に一体的に設けられた係合筒２３に形成された凸部又は凹部の第２係合部８ｂとから成る下部回転体用係止手段８とから成る。
【００２９】
そして、第１実施形態では、操作棒１０の外端部をプッシュすると、係止用付勢手段１５の付勢力に抗し下部回転体用係止手段８の係止状態が解かれ、該係止状態が解かれた状態を維持しながら該筒状の下部回転体４を手動で回転すると、拭布Ｙの巻取り動作に連動して筒状の上部回転体７がスムースに摩擦回転する（図１２、図１３を参照）。
【００３０】
なお、第１実施形態では、操作棒１０の外端部をプッシュすると、下部回転体用係止手段８の係止状態が解かれるが、例えば操作棒１０の先端部に固定した円盤状ストッパー部２１の外面の略中央部に引手を設け、一方、係止用付勢手段１５を引きバネとし、該引きバネの先端部を前記円盤状ストッパー部２１の内面に連結し、一方、該引きバネの内端部を、固定側部材を構成する筒状下部横軸３のフランジ状の環状部１２の先端面に連結し、長杆状の操作棒１０を「プル式」に操作しても良い（図面省略）。
【００３１】
また、第１実施形態の筒状の下部回転体４は、その断面形状が真円であるが、必ずしも真円である必要はなく、その重心が上下方向に変位する断面形状（例えば略正三角形状、略正四角形、略トラック形状の楕円形等）であっても良い。
【実施例】
【００３２】
次に、図１４及び図１５を参照にして、本発明の第２実施形態を説明する。なお、第２実施形態の説明に当って、第１実施形態と同一の部分には同一又は同様の符号を付して重複する説明を割愛する。
【００３３】
第２実施形態が第１実施形態と主に異なる発明の課題は、「下部回転体の構造の簡易化及び下部回転体用係止手段８の係止解除の利便性の向上」である。また第１実施形態と主に異なる発明の構成は、（ａ）下部回転体用係止手段８Ａは、筒状下部回転体４Ａの肉厚状の摺動筒１７Ａの一端面に設けた凹部又は凸部の第１係合部８ａと、該第１係合部に係脱するように支持腕１ｂの内面に形成した凸部又は凹部の第２係合部８ｂとから成る点、（ｂ）支持体１の支持腕１ｂに軸支した或いは一体的に設けた下部横軸３Ａを中実にし、該中実の下部横軸３Ａの先端部に取外し可能に螺着したフランシ状のバネ端支持部４１を設けた点、（ｃ）前記フランシ状のバネ端支持部４１と筒状下部回転体４Ａの内周面に固定的に設けた或いは一体成形された肉厚状の摺動筒１７Ａの先端面１７ａとの間に係止用付勢手段１５Ａを配設した点、（ｄ）筒状の下部回転体４Ａが下部回転体用係止手段８Ａの係止状態を解く「操作スイッチ」として機能する点である。
【００３４】
すなわち、第２実施形態は、上壁部或いは上杆部にハンドルを備えた支持体１と、この支持体の前記上壁部或いは上杆部１ａの一端部から片持ち式に延びる支持腕１ｂと、この片持ち式の支持腕１ｂの下端部に一体的に設けられ或いは一体成形されていると共にその先端部にフランジ状のバネ端支持部４１を有する下部横軸３Ａと、この下部横軸３Ａに回転可能に外嵌合すると共に、その外周面に拭布Ｙを巻き取ることができる筒状の下部回転体４Ａと、この筒状の下部回転体４Ａに対して所要間隔５を有して前記片持ち式の支持腕１ｂに一体的に設けられた或いは一体成形された上部横軸６と、この上部横軸６に回転可能に外嵌合すると共に、その外周面から前記拭布Ｙを送り出すことができる筒状の上部回転体７と、前記筒状の下部回転体４Ａの摺動筒１７Ａの一端面に設けた凹部又は凸部の第１係合部８ａ及び該第１係合部に係脱するように前記片持ち式の支持腕１ｂの内面に形成された凸部又は凹部の第２係合部８ｂとから成る下部回転体用係止手段８Ａとから成る。
【００３５】
そして、前記筒状の下部回転体４Ａは、入力手段として「操作スイッチ」の機能を有し、該筒状の下部回転体４Ａを前記フランジ状のバネ端支持部４１側に係止用付勢手段１５Ａの付勢力に抗してスライドさせると、下部回転体用係止手段８Ａの係止状態が解かれ、該係止状態が解かれた状態を維持しながら筒状下部回転体４Ａを手動で回転すると、拭布Ｙの巻取り動作に連動して筒状の上部回転体７が回転する。
【産業上の利用可能性】
【００３６】
本発明は、例えば建物の床面等を清掃する際に用いることができる。
【符号の説明】
【００３７】
Ｘ…清掃具、Ｙ…拭布、
１…支持体、２…ハンドル、
３、３Ａ…下部横軸、
４、４Ａ…下部回転体、５…間隙、
６…上部横軸、
７…上部回転体、
８、８Ａ…下部回転体用係止手段、
８ａ…第１係合部、
８ｂ…第２係合部、
９…上部回転体用係止手段、
９ａ…第１係合部、
９ｂ…第２係合部、
１０…操作棒、１０ａ…外端部（操作部）、
１１…パイプ状筒本体、
１２…フランジ状環状部、
１３…短杆状支持棒
１５、１５Ａ、３５…係止用付勢手段、
１７、１７Ａ…摺動筒、
２１…円盤状ストッパー部、
２２…連結棒、
２３…係合筒、
３１…筒状部、
３２…可動筒、
３３…フランジ部分、
３４…係合ピン。
【図１】
2016127896.tif 000003
【図２】
2016127896.tif 000004
【図３】
2016127896.tif 000005
【図４】
2016127896.tif 000006
【図５】
2016127896.tif 000007
【図６】
2016127896.tif 000008
【図７】
2016127896.tif 000009
【図８】
2016127896.tif 000010
【図９】
2016127896.tif 000011
【図１０】
2016127896.tif 000012
【図１１】
2016127896.tif 000013
【図１２】
2016127896.tif 000014
【図１３】
2016127896.tif 000015
【図１４】
2016127896.tif 000016
【図１５】
2016127896.tif 000017